(57)【要約】【課題】  デジタル放送の受信状態をより適正に判断し、しかも装置構成の大幅な変更を必要としないデジタル放送受信装置を提供する。【解決手段】  デジタルテレビ信号のうち、ある周波数のデジタルテレビ信号を受信するアンテナ１０９及びＲＦチューナ１１０、受信されたデジタルテレビ信号を複合する復号部１０１、復号の処理において受信された信号の誤りを訂正する誤り訂正部１００、誤り訂正の処理結果に基づいてアンテナ１０９及びＲＦチューナ１１０が他の周波数のデジタルテレビ信号を受信するようにＲＦチューナ１１０の設定を変更する判別制御部１０２をデジタル放送受信装置に設ける。【選択図】  図１
2007067486.tif 000002
【特許請求の範囲】
【請求項１】
符号化された符号化信号のうち第１の周波数の符号化信号を受信する受信手段と、
前記受信手段によって受信された符号化信号を復号する復号手段と、
前記復号手段によって行われる復号の処理において、受信された信号の誤りを訂正する誤り訂正手段と、
前記誤り訂正手段における誤り訂正の処理結果に基づいて、前記受信手段が第２の周波数の符号化信号を受信するように受信手段の設定を変更する受信信号変更手段と、
を備えることを特徴とするデジタル放送受信装置。
【請求項２】
前記誤り訂正手段がリードソロモン復号を使ってデータの誤りを訂正し、前記受信信号変更手段は、前記誤り訂正手段における誤り訂正において訂正できなかった誤りの割合が所定の値以上に達した場合、前記受信手段が第２の周波数の符号化信号を受信するように受信手段の設定を変更することを特徴とする請求項１に記載のデジタル放送受信装置。
【請求項３】
前記受信手段によって受信される信号の周波数変更の指示を受け付ける指示受付手段を備え、当該指示受付手段によって周波数変更が指示された場合、前記受信手段が第２の周波数の符号化信号を受信するように受信手段の設定を変更することを特徴とする請求項１に記載のデジタル放送受信装置。
【請求項４】
前記誤り訂正手段における誤り訂正において訂正できなかった誤りの割合が所定の値以上に達したことを通知する通知手段を備えることを特徴とする請求項２または３に記載のデジタル放送受信装置。
【請求項５】
前記受信信号変更手段は、符号化信号の地域に応じた周波数が記録されたエリア別チャンネル情報と現在地の情報とに基づいて、符号化信号の第２の周波数を取得することを特徴とする請求項１から３のいずれか１項に記載のデジタル放送受信装置。
【発明の詳細な説明】
【技術分野】
【０００１】
本発明は、デジタル放送された信号を受信するデジタル放送受信装置にかかり、特に移動しながら信号を受信するデジタル放送受信装置に関する。
【背景技術】
【０００２】
現在、テレビ放送を車両に搭載されたテレビや携帯電話で視聴することが可能である。テレビ放送は、放送される地域によって信号の放送周波数が異なっている。このため、携帯電話等でテレビ放送を受信しながら移動した場合、放送周波数の異なる地域に移動してテレビ放送が受信できなくなる場合がある。
放送周波数が変わってテレビ放送が受信できなくなる不具合を解消する従来技術として、例えば、特許文献１が挙げられる。特許文献１に記載された構成は、デジタルテレビ放送を受信しながら受信信号の強度をモニタし、強度が所定のしきい値以下になったとき、受信するために設定される信号の周波数を変更するものである。
【特許文献１】特開２００４−２８９４６４号公報
【発明の開示】
【発明が解決しようとする課題】
【０００３】
デジタルテレビ放送では、リードソロモン符号及び畳み込み符号で符号化された信号の誤りを訂正する処理を行っている。信号の誤り訂正とは、雑音や発生したデータの誤りを訂正し、受信すべきデータに修復することをいう。誤り訂正によれば、受信された信号の強度が弱い場合であってもテレビ放送を良好な状態で視聴することが可能である。
【０００４】
このため、デジタルテレビ放送の受信状態は、アナログ放送のように受信信号の強度によって決まるものではなく、信号強度を指標として適正に判断されない場合もある。
本発明は、このような点に鑑みてなされたものであって、デジタル放送の受信状態をより適正に判断することができるデジタル放送受信装置を提供することを目的とする。
【課題を解決するための手段】
【０００５】
以上の課題を解決するため、本発明のデジタル放送受信装置は、符号化された符号化信号のうち第１の周波数の符号化信号を受信する受信手段と、前記受信手段によって受信された符号化信号を複合する復号手段と、前記復号手段によって行われる復号の処理において、受信された信号の誤りを訂正する誤り訂正手段と、前記誤り訂正手段における誤り訂正の処理結果に基づいて、前記受信手段が第２の周波数の符号化信号を受信するように受信手段の設定を変更する受信信号変更手段と、を備えることを特徴とする。
【０００６】
このような発明によれば、符号化された符号化信号のうち第１の周波数の符号化信号を受信することができる。そして、受信された符号化信号を復号し、この際に受信された信号の誤りを訂正することができる。さらに、誤り訂正の処理結果に基づいて、受信手段が第２の周波数の符号化信号を受信するように受信手段の設定を変更することができる。
このため、本発明の受信装置は、受信した信号の誤り率を基準に設定を変更できるため、デジタル放送の受信状態をより適正に判断することができる。なお、信号の誤り率の算出は、一般的なデジタルテレビ放送の受信装置にあって通常行われていることであるから、信号の誤り率を検出するにあたって装置構成の大幅な変更を行わなくて良い。
【０００７】
また、本発明のデジタル放送受信装置は、前記誤り訂正手段がリードソロモン復号を使ったデータの誤りを訂正し、前記受信信号変更手段は、前記誤り訂正手段における誤り訂正において訂正できなかった誤りの割合が所定の値以上に達した場合、前記受信手段が第２の周波数の符号化信号を受信するように受信手段の設定を変更することを特徴とする。
このような発明によれば、一般的なリードソロモン復号する構成があれば誤り率を検出することができるので、汎用的な装置にあっても信号の誤り率を検出するにあたって装置構成の部品点数が増えることがない。
【０００８】
また、本発明のデジタル放送受信装置は、前記受信手段によって受信される信号の周波数変更の指示を受け付ける指示受付手段を備え、当該指示受付手段によって周波数変更が指示された場合、前記受信手段が第２の周波数の符号化信号を受信するように受信手段の設定を変更することを特徴とする。
このような発明によれば、ユーザの判断によって受信される信号の周波数を変更することができる。このため、ユーザの意図あるいは予想に反して受信される信号の周波数変更のため、放送が中断することをなくすことができる。
【０００９】
また、本発明のデジタル放送受信装置は、前記誤り訂正手段における誤り訂正において訂正できなかった誤りの割合が所定の値以上に達したことを通知する通知手段を備えることを特徴とする。
このような発明によれば、誤りが発生した信号のうちの画質低下に関わる成分に基づいて放送されている映像の画質を判定することができる。このため、現状に即し、かつ適切に放送されている画像の品質を判定することができる。
【００１０】
また、本発明のデジタル放送受信装置は、前記受信信号変更手段が、符号化信号の地域に応じた周波数が記録されたエリア別チャンネル情報と現在地の情報とに基づいて、符号化信号の第２の周波数を取得することを特徴とする。
このような発明によれば、比較的簡単、かつ正確に現在地において良好な受信状態が得られる放送周波数を知ることができる。
【発明を実施するための最良の形態】
【００１１】
以下、図を参照して本発明にかかるデジタル放送受信装置の実施の形態を説明する。
図１は、本発明の一実施形態のデジタル放送受信装置（以下、実施形態では単に受信装置と記す）の構成を説明するためのブロック図である。図示した受信装置は、デジタルテレビ放送を受信する受信装置である。そして、符号化された符号化信号（デジタルテレビ信号と記す）であって、かつ第１の周波数の信号を受信するアンテナ１０９及びＲＦ（Radio Frequency）チューナ１１０を備えている。
【００１２】
さらに、本実施形態の受信装置は、受信されたデジタルテレビ信号を復調するＯＦＤＭ復調部１０３、復調によって取り出されたデジタル信号を復号する復号部１０１を備えている。復号部１０１は、復号の処理において、受信された信号の誤りを訂正する誤り訂正部１００を備えている。
なお、本実施形態では、デジタルテレビ放送の送信側がデジタルテレビ信号をリードソロモン符号及び畳み込み符号によって符号化している。復号部１０１は、受信された信号を、ビタビ復号、リードソロモン復号を使って受信されたデータの誤りを訂正している。訂正処理された信号は、Ｈ．２６４部１０７によって復号されて表示部１１１に出力され、表示される。
【００１３】
図２は、復号部１０１のうちのリードソロモン復号部２０１を説明するための図である。リードソロモン復号部２０１は、パリティチェックによって誤りを検出するシンドローム計算部２０３、検出された誤りの数を計算する誤り数計算部２０４、検出された誤りがあるビットを計算する誤り位置計算部２０５、検出された誤りを訂正する誤り訂正計算部２０６を備えている。
【００１４】
リードソロモン復号部２０１から出力される出力データは、誤りがあったデータのうちの訂正がなされたデータと訂正できなかったデータを含む。出力されたデータには、誤りが訂正できたデータであるか、あるいは誤りが訂正できなかったデータであるかを示す情報が付加される。情報の付加は、訂正できた信号と訂正できなかった信号とを区別するチェックビットを追加することによって行われる。
【００１５】
さらに、本実施形態の受信装置は、誤り訂正部１００における誤り訂正の処理結果に基づいて、ＲＦチューナ１１０が第２の周波数の符号化信号を受信するようにＲＦチューナ１１０の設定を変更する判別制御部１０２を備えている。
本実施形態の判別制御部１０２は、誤り訂正部１００におけるリードソロモン符号を使った誤り訂正において訂正できなかった誤りの割合が所定の値以上に達した場合、アンテナ１０９等によって受信される信号を第２の周波数のデジタルテレビ信号に変更する。
【００１６】
また、本実施形態の受信装置は、判別制御部１０２がアンテナ１０９等によって受信される信号の周波数を変更するための指示を受け付ける操作部１１２を備えている。ユーザは、操作部１１２を操作して信号周波数の変更を指示することができる。操作部１１２が操作されたことによって、判別制御部１０２は、チューナ１０３を制御して受信されるデジタルテレビ信号の周波数を変更する。また、本実施形態の受信装置は、表示部１１１を備え、表示部１１１に誤り率が所定の値に達したことを通知する情報を表示することができる。このような表示により、ユーザは、テレビの受信状態の悪化が許容範囲を超えることを認識し、受信信号の周波数を変更するタイミングを適切に判断することができる。
【００１７】
また、本実施形態の受信装置は、符号化信号の地域に応じた周波数が記録されたエリア別チャンネル情報を有している。本実施形態では、受信装置がエリア別チャンネル情報を保持するエリア別チャンネル情報保持部１０４を備え、保持されているエリア別チャンネル情報と現在地の情報とに基づいて現在地に対応する第２の周波数（変更後のデジタルテレビ信号の周波数）を取得している。
【００１８】
さらに、本実施形態の受信装置は、現在地に関する情報を取得するためのＧＰＳ（Global Positioning System）１０５や携帯通信部１０６を備えている。ＧＰＳによれば、受信装置は現在地を緯度や経度の位置情報として取得することができる。携帯通信部１０６は、携帯電話等の基地局によって送信された信号を受信する構成であって、受信機の現在地を放送エリアの区分として受信装置に提供する。
【００１９】
図３は、エリア別チャンネル情報を例示した図である。図示したエリア別チャンネル情報は、携帯通信部１０６に位置情報を送信した基地局を識別するための基地局ＩＤ、基地局ＩＤが示す基地局に対応するエリア（対応エリア）、エリアの範囲を示す緯度及び経度、エリアにおいて放送されるデジタルテレビ放送のチャンネル、各チャンネルを放送する局を識別するための局ＩＤ、チャンネルが放送に使用する周波数（対応周波数）が記録されている。
【００２０】
以上述べた構成は、以下のように動作する。すなわち、アンテナ１０９、ＲＦチューナ１１０によって受信されたデジタルテレビ信号は、ＯＦＤＭ復調部１０３において復調される。復調処理では、デジタルテレビ信号の送信モードが判定され、また、送信の対象となった情報が１または０のデータとして判定される。判定の結果を示す信号は、復号部１０１に渡される。
【００２１】
地上テレビ放送では、送信側によって行われる符号化処理が、リードソロモン（Ｒｅａｄ  Ｓｏｌｏｍｏｎ）符号化、畳み込み符号化の順序でなされる。復号部１０１は、符号化とは逆にビタビ復号、リードソロモン復号の順でデジタルテレビ信号を復号化し、誤り訂正部１００によって誤り訂正をする。
リードソロモン符号による誤りの訂正は、データを所定の長さに区切ってブロックを生成する。そして、このブロックごとにデータの後チェックビットを追加してブロックごとに誤りを訂正するものである。リードソロモン符号を使った誤り訂正では、バイト単位で誤りを訂正可能であって、１バイト中の全ビットが誤っている場合にもこれを訂正することができる。
【００２２】
本実施形態では、誤り訂正部１００が、１ブロックのデータごとに誤り率（誤り訂正ができなかったデータの割合）を判別制御部１０２に出力する。判別制御部１０２は、誤り訂正部１００によって出力された誤り率を所定の値と比較する。そして、誤り率が所定の値に達していると判断した場合、ＧＰＳ１０５あるいは携帯通信部１０６から取得した現在地をエリア別チャンネル情報保持部１０４と対照する。さらに、現在地を含むエリアにおいて現在受信しているチャンネルに対応するチャンネルの対応周波数にチューナ１１０の受信周波数に合わせる。
【００２３】
なお、リードソロモン復号後の誤り率が、１×１０-11以下である場合には、実質的に誤りのない状態、いわゆる疑似エラーフリーとなることが知られていることから、この擬似エラーフリーとなるときの、リードソロモン復号後の誤り率に基づいて基準値を設定するなどの方法が考えられる。
また、対応するチャンネルとは、例えば、現在地を含むエリア内にあって現在のチャンネルと同系列の放送局が放送に使用するチャンネルである。
【００２４】
本実施形態では、以上の動作において、判別制御部１０２によって誤り率が所定の値に達していると判断された場合、判別制御部１０２が表示部１１１に通知し、受信の対象となるデジタルテレビ信号の周波数を変更するか否かの判断をユーザに促す処理をしている。この処理は、例えば、表示部１１１の表示画面に「周波数を変更しますか？」等のメッセージを表示する、あるいは表示部の少なくとも一部を点滅させることによって実現することができる。さらに、専用のブザー等を設けてアラームを発してもよい。
【００２５】
このように構成した場合、本実施形態の受信装置は、メッセージ等によって誤り率が所定の値に達したことをユーザが認識し、操作部１１２を操作して周波数変更の指示を入力するまで待機する。そして、指示がなされた場合、この指示にしたがって受信されるデジタルテレビ信号の周波数を変更する。
このように動作することにより、本実施形態の受信装置は、チャンネルの切替えをユーザの意志によって決定することができる。このため、ユーザが、画質が悪くても引き続き視聴するつもりであった場合には、周波数変更のためにテレビ放送中断される事態を防ぐことができる。
【００２６】
図４は、以上述べた動作を説明するためのフローチャートであって、判別制御部１０２によってなされる処理を示している。判別制御部１０２では、復号部１０１が誤り率の測定を開始すると、誤り率の入力が開始される。判別制御部１０２は、入力された誤り率を所定の値と比較する。なお、本実施形態では、所定の値よりわずかに小さい値を基準値とし、誤り率が基準値よりも大きいか否かによって誤り率が所定の値に達したか否かを判断している（Ｓ４０１）。判断の結果、誤り率が基準値より上でない場合（Ｓ４０１：Ｎｏ）、次に入力された誤り率を基準値と比較する処理を実行する。
【００２７】
また、ステップＳ４０１において、誤り率が基準値より上であると判断された場合（Ｓ４０１：Ｎｏ）、受信される信号の周波数を変更するか否か判断すべき状態であることを表示部１１１を介してユーザに通知する（Ｓ４０２）。そして、ユーザが周波数変更（チャンネルの切替え）を指示したか否かを判断する（Ｓ４０３）。判断の結果、周波数変更の指示がなされなかったと判断された場合（Ｓ４０３：Ｎｏ）、次に入力された誤り率を基準値と比較する処理を実行する。
【００２８】
また、ステップＳ４０３において、ユーザがチャンネルの切替えを指示した場合には（Ｓ４０３：Ｙｅｓ）、判別制御部１０２が、ＧＰＳ１０５や携帯通信部１０６によって自装置の現在地を示す情報を取得する（Ｓ４０４）。そして、取得された情報をエリア別チャンネル情報保持部１０４に参照する（Ｓ４０５）。そして、参照結果から現在地にあって現在受信されているチャンネルに対応するチャンネルの周波数をチューナ１１０に設定する（Ｓ４０６）。
【００２９】
デジタル放送受信装置は、前記したように、デジタルテレビ信号を復号する際、一般的に誤り訂正の処理を実行している。このため、受信された信号強度が小さい場合にもこの信号の誤りを訂正することができれば、良好な画像のデジタルテレビを視聴することが可能である。以上述べた本実施形態の受信装置は、この点に鑑みて、誤りが訂正できなかったデータの割合によってデジタルテレビの画像の状態を判定する。このような本実施形態の受信装置は、デジタルテレビ放送に即した受信状態の判定処理をすることが可能な構成であるといえる。
【００３０】
また、視聴可能と判断される画像の状態は、個人によって相違する。つまり、あるユーザが視聴不可能と判断する画像をユーザＢが視聴した場合、視聴続行可能と判断することもある。このため、本実施形態の受信装置は、誤り率が所定の値に達した場合、これをユーザに通知し、ユーザの判断にしたがって受信されるデジタルテレビ信号の周波数を変更している。このような本実施形態の受信装置は、ユーザが意図することなく周波数変更の処理が実行され、この間デジタルテレビ放送の視聴が中断されることをなくすことができる。
【００３１】
また、デジタルテレビ放送の受信装置では、一般的にリードソロモン復号がなされていて、この際に誤り訂正を実行している。そして、リードソロモンの誤り訂正では、誤り訂正処理の過程で誤り率が算出されるため、本実施形態の受信装置は、算出された誤り率を使ってデジタルテレビ信号の受信状態を判断することができ、受信状態の判断のために新たな構成を追加する必要がない。
【００３２】
したがって、本発明は、信号の受信強度を検出する構成が必要な従来技術よりも、装置の小型化、低コスト化に有利であるといえる。
なお、本実施形態のデジタル放送受信装置は、以上述べた構成に限定されるものではない。すなわち、本実施形態の受信装置は、リードソロモン復号の際の誤り率を処理に使用するものに限定されるものでなく、受信された信号中の訂正できなかった誤りが発生した数、割合等を検出する情報ならどのような情報を使ってもよい。
【００３３】
また、本実施形態のデジタル受信装置は、前記したように、ユーザの指示によって受信される信号の周波数を変更する構成限定されるものではない。例えば、誤り率が一定の値に達した場合、自動的に周波数を変更するものであってもよい。このようにした場合、ユーザが意識することなく自動的にＲＦチューナを最善の周波数に合わせることができる。
また、本実施形態のデジタル受信装置は、エリア別チャンネル情報を予めエリア別チャンネル情報保持部１０４に記憶しておく構成に限定されるものではない。例えば、基地局や放送局から現在地の情報と共にエリア別チャンネル情報を受信してもよい。
【００３４】
さらに、本実施形態のデジタル受信装置は、現在地をエリア別チャンネル情報に対照して切替えるべきチャンネルを判定する構成に限定されるものではない。例えば、ＲＦチューナ１１０の設定を所定の周波数の範囲内で変更し、デジタルテレビ信号を受信する。そして、受信信号の誤り率を検出し、訂正できなかった誤りの発生頻度が最も少なかった周波数にＲＦチューナ１１０を合わせることも考えられる。
【図面の簡単な説明】
【００３５】
【図１】本発明の一実施形態のデジタル放送受信装置の構成を説明するためのブロック図である。
【図２】図１に示した復号部のうちのリードソロモン復号するリードソロモン復号部を説明するための図である。
【図３】図１に示したエリア別チャンネル情報保持部１０４に保持されているエリア別チャンネル情報を例示した図である。
【図４】本発明の一実施形態のデジタル放送受信装置の動作を説明するためのフローチャートである。
【符号の説明】
【００３６】
１００  誤り訂正部、１０１  復号部、１０２  判別制御部、１０３  ＯＦＤＭ復調部
１０４  エリア別チャンネル情報保持部、１０５  ＧＰＳ、１０６  携帯通信部、１０９  アンテナ、１１０  ＲＦチューナ、１１１  表示部、１１２操作部
【図１】
2007067486.tif 000003
【図２】
2007067486.tif 000004
【図３】
2007067486.tif 000005
【図４】
2007067486.tif 000006